(57)【要約】【課題】汚染物質除去能力の高い大気浄化装置を提供する。【解決手段】大気浄化装置１の浄化手段８を、第一浄化層８２と第二浄化層８３の二つの浄化層を有する構成とする。汚染物質を含んだ大気は、オゾンと接触後、第一浄化層８２、第二浄化層８３の順で通過して排出される。外部に露出した第二浄化層８３は、木炭と土壌の混合物を有し、緑化植物１０、１０、…が植栽されている。第一浄化層８２は効率良く窒素酸化物等の汚染物質を除去できるよう木炭のみで構成されている。【選択図】  図１
2004255262.tif 000002
【特許請求の範囲】
【請求項１】
大気を吸入する開口部と、
オゾンを発生させるオゾン発生手段と、
オゾンと接触した大気から汚染物質を除去する浄化手段と、
大気を前記開口部から前記浄化手段に向けて流動させる送風手段とを備える大気浄化装置において、
前記浄化手段は、大気中の窒素酸化物を吸着する木炭を有し、大気の流路に沿って配列された順番に大気を通す複数の浄化層を有することを特徴とする大気浄化装置。
【請求項２】
前記浄化層として、木炭が土壌と混合され、緑化植物が植栽される緑化植栽層を有することを特徴とする請求項１に記載の大気浄化装置。
【請求項３】
前記緑化植栽層よりも前記開口部側において、木炭が土壌と混合され、かつ木炭の土壌に対する比率が前記緑化植栽層での木炭の土壌に対する比率に比べて高い浄化層を有することを特徴とする請求項２に記載の大気浄化装置。
【請求項４】
前記浄化層には、大気中の窒素酸化物を窒素ガス及び酸素ガスに変換する微生物が混入されてることを特徴とする請求項１〜請求項３のいずれか一項に記載の大気浄化装置。
【請求項５】
前記浄化層には、大気中の一酸化炭素を二酸化炭素に変換する微生物が混入されていることを特徴とする請求項１〜請求項４のいずれか一項に記載の大気浄化装置。
【請求項６】
前記開口部と前記浄化手段の間において、大気中の固形の汚染物質を除去する集塵手段を備えることを特徴とする請求項１〜請求項５のいずれか一項に記載の大気浄化装置。
【請求項７】
前記浄化手段は、前記浄化層を内蔵する浄化ユニットであることを特徴とする請求項１〜請求項６のいずれか一項に記載の大気浄化装置。
【発明の詳細な説明】
【０００１】
【発明の属する技術分野】
本発明は自動車の排気ガス等で汚染された大気から汚染物質を除去するための汚染大気浄化装置に関する。
【０００２】
【従来の技術】
交通量の激しい道路の近隣の地域では、自動車の排ガスに含まれる窒素酸化物（ＮＯｘ）、一酸化炭素、粉塵、浮遊粒子状物質（ＳＰＭ）等の有害物質の濃度が高くなっている。そのため、住民の健康被害を防止するために大気から上記有害物質を除去する必要がある。
【０００３】
大気から有害物質を除去するには、例えば交差点等の排気ガスの排出が多い場所に大気浄化装置を設置する方法がある。大気浄化装置は、汚染された大気をオゾンで処理した後に土壌や木炭からなる浄化層を有する浄化手段に通して窒素酸化物や一酸化炭素といった汚染物質を除去するという構成を有する。
また、大気浄化装置の中には、設置場所の美観を高めたりヒートアイランド現象を防止したりするために浄化層の土壌に緑化植物が植栽されているものがある。（例えば特許文献１）
【０００４】
【特許文献１】
特開平９−２３４３３２（第３、４頁、第１図）
【０００５】
【発明が解決しようとする課題】
しかしながら、特許文献１の場合、浄化手段に設けられる浄化層は一つだけであり、設置場所の大気汚染状況に対応した汚染物質除去能力を具備することが困難であった。
【０００６】
本発明の課題は、汚染物質除去能力の高い大気浄化装置を提供することである。
【０００７】
【課題を解決するための手段】
請求項１に記載の発明は、例えば図１〜図４に示すように、大気を吸入する開口部３と、オゾンを発生させるオゾン発生手段７と、オゾンと接触した大気から汚染物質を除去する浄化手段８、９と、大気を前記開口部から前記浄化手段に向けて流動させる送風手段５とを備える大気浄化装置１において、前記浄化手段は、大気中の窒素酸化物を吸着する木炭を有し、大気の流路に沿って配列された順番に大気を通す複数の浄化層８２、８３、９３を有することを特徴とする。
【０００８】
請求項１に記載の発明によれば、大気は送風手段の作用により、開口部で取り込まれ、オゾン接触手段で発生したオゾンと接触し、大気中の汚染物質を除去する浄化手段へ送り込まれる。大気がオゾンと接触することで、大気中の一酸化窒素は木炭で除去しやすい二酸化窒素に変換される。そして、浄化手段では、大気中の二酸化窒素が浄化層の木炭による吸着で除去される。ここで、浄化層は、複数が大気の流路に沿って配列されており、大気はこれら複数の浄化層を通って排出される。
このように、浄化手段で大気が木炭を有する複数の浄化層を通るようにすることで、大気から二酸化窒素を除去する能力が高い大気浄化装置を提供できる。
【０００９】
請求項２に記載の発明は、請求項１に記載の大気浄化装置において、例えば図２に示すように、前記浄化層として、木炭が土壌と混合され、緑化植物が植栽される緑化植栽層（例えば第二浄化層８３）を有することを特徴とする。
【００１０】
請求項２に記載の発明によれば、木炭が土壌と混合され、緑化植物が植栽された緑化植栽層を有するので、窒素酸化物を緑化植物が窒素養分として吸収することで除去できる。それに加えて、大気浄化装置の設置場所を緑化できる。
【００１１】
請求項３に記載の発明は、請求項２に記載の大気浄化装置において、例えば図３に示すように、前記緑化植栽層よりも前記開口部側において、木炭が土壌と混合され、かつ木炭の土壌に対する比率が前記緑化植栽層での木炭の土壌に対する比率に比べて高い浄化層（例えば第一浄化層８２）を有することを特徴とする。
【００１２】
請求項３に記載の発明によれば、緑化植栽層よりも開口部側において、木炭の土壌に対する割合が緑化植栽層での木炭の土壌に対する割合よりも高い浄化層が設けられていることにより、大気中の窒素酸化物は緑化植栽層を通る前にこの浄化層で効率的に除去される。このことにより、窒素酸化物除去能力が高く、かつ設置場所の緑化が可能な大気浄化装置を提供することができる。
【００１３】
請求項４に記載の発明は、請求項１〜請求項３のいずれか一項に記載の大気浄化装置において、前記浄化層には、大気中の窒素酸化物を窒素ガス及び酸素ガスに変換する微生物が混入されてることを特徴とする。
【００１４】
請求項４に記載の発明によれば、大気中の窒素酸化物は浄化層に混入された微生物によって窒素ガス及び酸素ガスに変換される。よって、大気浄化装置により、大気中から容易に窒素酸化物を除去することができる。
【００１５】
請求項５に記載の発明は、請求項１〜請求項４のいずれか一項に記載の大気浄化装置において、前記浄化層には、大気中の一酸化炭素を二酸化炭素に変換する微生物が混入されていることを特徴とする。
【００１６】
請求項５に記載の発明によれば、大気中の一酸化炭素は浄化層に混入された微生物によって二酸化炭素に変換される。よって、大気浄化装置により、大気中から容易に一酸化炭素を除去することができる。
【００１７】
請求項６に記載の発明は、請求項１〜請求項５のいずれか一項に記載の大気浄化装置において、例えば図４に示すように、前記開口部と前記浄化手段の間において、大気中の固形の汚染物質を除去する集塵手段４を備えることを特徴とする。
【００１８】
請求項６に記載の発明によれば、開口部と浄化手段の間に、大気から固形の汚染物質を除去する集塵手段を有することで、大気に含まれる粉塵やＳＰＭといった固形の汚染物質が、浄化層にたまることによる目詰まり等を防止できる。よって、維持管理の容易な大気浄化装置を提供することができる。
【００１９】
請求項７に記載の発明は、請求項１〜請求項６のいずれか一項に記載の大気浄化装置において、例えば図４に示すように、前記浄化手段は、前記浄化層を内蔵する浄化ユニットであることを特徴とする。
【００２０】
請求項７に記載の発明によれば、浄化手段は浄化層が内蔵された浄化ユニットである。このことで、大気浄化装置の窒素酸化物除去能力が低下したときには、浄化ユニットを交換することで容易に窒素酸化物除去能力を回復させることができる。よって、大気浄化装置の維持管理を容易にすることができる。
【００２１】
【発明の実施の形態】
〔第一の実施例〕
以下、本発明に係る大気浄化装置１について図面を参照して説明する。ここで、図１〜図４において、矢印は大気の流動する方向を示す。
大気浄化装置１は交通量の多い道路や交差点といった、自動車の内燃機関の排ガスが多量に排出される場所に面して設けられる装置であり、排ガスを含んだ大気から汚染物質を除去する。
汚染物質とは、人間が継続的に曝露されることで呼吸器、神経、皮膚等に障害を負って健康被害を受けるか、受ける可能性のある物質の総称であり、窒素酸化物（一酸化窒素（ＮＯ）及び二酸化窒素（ＮＯ２）を含み、一般式ＮＯＸで表記される物質の総称）、一酸化炭素（ＣＯ）、粉塵、浮遊粒子状物質（ＳＰＭ）、二酸化硫黄（ＳＯ２）、ベンゼン等を含む。
【００２２】
第一の実施形態に係る大気浄化装置１は、図１に示すように導管２、開口部３、集塵手段４、送風手段５、オゾン発生手段７、浄化手段８を備えて構成される。
導管２は開口部３から取り込まれた大気を浄化手段８まで導くための構成要素であり、大気浄化装置１の各構成要素を連結する。
【００２３】
開口部３は排ガス由来の汚染物質を含んだ大気を取り込むための構成要素であり、汚染物質を効率的の取り込むことができるよう、道路に近接した位置に、自動車の排気口と略同じ高さに設けられる。
【００２４】
集塵手段４は、大気に含まれる汚染物質のうち、固形の汚染物質を大気から除去するための構成要素である。集塵手段４は、粉塵フィルタ４１とＳＰＭフィルタ４２を有して構成される。
【００２５】
粉塵フィルタ４１は固形の汚染物質のうち、粒径１０μｍを超えるものを大気から除去する。また、ＳＰＭフィルタ４２は粒径１０μｍ以下の浮遊粒子状物質に属する汚染物質を除去する。粉塵フィルタ４１及びＳＰＭフィルタ４２は大気浄化装置１本体に対して着脱自在に取り付けられる。
【００２６】
送風手段５は開口部３で取り込まれた大気を浄化手段８まで流動させるための原動力を発生させる構成要素であり、電動モータの作動により回転する羽根車５１を有する。
【００２７】
オゾン発生手段７は酸素ガス（Ｏ２）からオゾン（Ｏ３）を発生させる構成要素である。オゾン発生手段７がオゾンを発生させる方法には、例えば無声放電やコロナ放電といった周知の方法が適用可能である。オゾン発生手段７で発生したオゾンはオゾン導管７１によって導管２まで導かれる。ここで、オゾン導管７１は送風手段５よりも上流側で導管２と接続される。
【００２８】
浄化手段８は大気から二酸化窒素や一酸化炭素といったガス状の汚染物質を吸着したり化学的に変換したりすることで除去してから大気を排出する構成要素であり、浄化手段ケース８１と、第一浄化層８２と、第二浄化層８３とを有して構成される。
【００２９】
浄化手段ケース８１は上面の大部分が開口した箱型の形状を有する。浄化手段ケース８１は内部が底壁８１Ａで上下に区切られており、この底壁８１Ａで第一浄化層８２、第二浄化層８３を支持して収納する。このことにより、送風手段５から浄化手段ケース８１内部に導入された大気は底壁８１Ａを通って上向きに流動して排出される。
【００３０】
第一浄化層８２は、土壌を有さない浄化層である。第一浄化層８２の木炭には、二酸化窒素を生化学的に変換する微生物が周知の方法により混入されている。
木炭に混入される微生物としては、例えば二酸化窒素や、二酸化窒素が水と反応して生成する硝酸イオン（ＮＯ３−）を還元して窒素ガス（Ｎ２）と酸素ガス（Ｏ２）に変換する脱窒菌が好ましい。第一浄化層８２が脱窒菌等の微生物が混入された木炭を有することで、大気中の汚染物質のうち、二酸化窒素を吸着したり、生化学的に変換したりして除去することができる。なお、浄化部８２Ａに用いられる木炭の粒径や具体的な材質は、大気の流速や、木炭自身の窒素酸化物除去能力を最適化できるよう適宜設定される。
【００３１】
第二浄化層８３は緑化用の浄化層であり、緑化植物１０、１０、…が植栽されている。第二浄化層８３は、第一浄化層８２の上側に重ねて、外部に露出するようにして設けられる。第二浄化層８３が第一浄化層８２に重ねて設けられることで、第一浄化層８２及び第二浄化層８３は大気が流動する流路に沿って配列される。
第二浄化層８３は木炭と土壌の混合物を、上面の大部分が開口し、下面には通気、透水のための孔が複数個設けられたケースに収納した構成を有する。第二浄化層８３の上面には緑化植物１０、１０、…が植栽されている。第二浄化層８３が木炭と土壌の混合物を有することで、緑化植物１０の生育と汚染物質の除去に適した流速で大気を通すことができる。第二浄化層８３の木炭の粒径、混入する割合、具体的な材質は、緑化植物１０の生育に最適な土質を第二浄化層に具備できるとともに、汚染物質除去に最適な流速で大気を通すことができるよう適宜設定される。
【００３２】
第二浄化層８３の木炭及び土壌には大気中の汚染物質のうち、二酸化窒素及び一酸化炭素を生化学的に変換する微生物が周知の方法により混入されている。二酸化窒素を変換する微生物としては、例えば上述の脱窒菌が好ましい。また、一酸化炭素を変換する微生物としては、例えば一酸化炭素を二酸化炭素に生化学的に変換する周知の微生物が好ましい。
【００３３】
緑化植物１０は、二酸化窒素が第二浄化層８３に保持されている水分と反応して生成した硝酸イオンを取り込み、たんぱく質に変換して除去する。このことにより、第二浄化層８３で大気から除去された二酸化窒素や硝酸イオンが、激しい降雨等の際に土壌とともに流出して新たな環境汚染をもたらすことを防止できる。
また、緑化植物１０は道路の沿道を緑化して美観を高めたり、都市のヒートアイランド現象を防止したりする働きをする。緑化植物１０としては、都市緑化に適用可能な周知の植物のうち、硝酸イオンのみを窒素養分として生育する種か、主に硝酸イオンを窒素養分として生育する種を適用することが、第二浄化層８３から効率的に硝酸イオンを除去できる点や緑化植物１０への施肥の手間を軽減できる点で好ましい。
緑化植物１０に適用可能な植物としては、硝酸イオンのみを窒素養分として利用するアサガオ、コスモス、コリウス、ゼラニウム、ポインセチア、ジニアや、主に硝酸イオンを窒素養分として利用するカトレア、カーネーション、ガーベラ、キク、サルビア、シクラメン、スイートピー、ストック、バラ、ユリ等が挙げられる。緑化植物１０に適用する植物は、大気浄化装置１の立地条件等を考慮して選定される。
【００３４】
次に、第一の実施形態に係る大気浄化装置１を用いる大気浄化方法について説明する。
自動車の排気口から排出された排気ガスが含まれた大気を、開口部３から大気浄化装置１に取り込む。開口部３に取り込まれた大気に含まれる汚染物質のうち、粒径１０μｍを超える固形の汚染物質である粉塵がまず粉塵フィルタ４１で除去される。引き続いて、固形の汚染物質のうち粒径１０μｍ以下のＳＰＭがＳＰＭフィルタ４２で除去される。
【００３５】
固形の汚染物質が除去された大気に対して、送風手段５よりも上流側でオゾン発生手段７で発生したオゾンを混入させる。送風手段５では、羽根車５１で撹拌することで、大気とオゾンを接触させる。こうして大気中の汚染物質のうち、一酸化窒素をオゾンとの反応により酸化して二酸化窒素に変換する。
【００３６】
さらにオゾンと接触した大気は浄化手段ケース８１内部の空洞に導入され、底壁８１Ａを通って第一浄化層８２に到達する。第一浄化層８２では、ガス状の汚染物質のうち、二酸化窒素の一部を吸着する。木炭に吸着された二酸化窒素はさらに脱窒菌により窒素ガスと酸素ガスに変換されて大気とともに排出される。
第一浄化層８２で除去されなかった残りの二酸化窒素は第二浄化層８３に導入され、第二浄化層８３の木炭に吸着されたり第二浄化層８３に保持されている水分によって硝酸イオンに変換されて土壌に留まったりする。この硝酸イオンの一部は緑化植物１０、１０、…によって吸収され、残りは木炭や土壌に混入された脱窒菌によって窒素ガスと酸素ガスに変換される。
【００３７】
また、大気に含まれる汚染物質のうち、一酸化炭素は第二浄化層８３の土壌に混入されている微生物によって二酸化炭素に変換されて排出される。
【００３８】
本実施形態に係る大気浄化装置１では、また、開口部３から取り込まれた大気中の一酸化窒素は、オゾン発生手段７で発生したオゾンと、送風手段５の作用により接触することで二酸化窒素に変換されるので、木炭や土壌によって容易に除去できる。そして、オゾンと接触した大気は、第一浄化層８２、第二浄化層８３という脱窒菌が混入された木炭を有する複数の浄化層を通ることで二酸化窒素が効率的に除去される。よって、大気浄化装置１は窒素酸化物に対して高い除去能力を有する。
また、第二浄化層８３は緑化植物１０、１０、…が植栽された緑化植栽層なので、緑化植物１０、１０、…が窒素養分として吸収することによっても窒素酸化物を除去できる。それに加えて、設置場所の緑化を行なうことができる。
さらに、第二浄化層８３の土壌には一酸化炭素を二酸化炭素に変換する微生物が混入されているので、一酸化炭素を大気から除去できる。
【００３９】
なお、第一の実施形態に係る大気浄化装置１は、図２に示すように、集塵手段４を有さない構成としてもよい。この場合、粉塵やＳＰＭは第一浄化層８２や第二浄化層８３でろ過することによって大気から除去される。
【００４０】
また、第一浄化層８２は、大気が流動する方向に並列に設けられた２つの部位からなる構成として、これら２つの部位を大気の流路の切り換えによって選択して使用できる構成としても良い。
また、第一浄化層８２及び第二浄化層８３は、例えば木炭や土壌をケースに収納した構成として、浄化手段ケース８１に対して容易に着脱できる構成としてもよい。この場合、第一浄化層８２、第二浄化層８３の汚染物質除去能力が低下したときには交換によって容易に大気浄化装置１の汚染物質除去能力を回復させることができる。
また、汚染物質除去能力が低下した第一浄化層８２、第二浄化層８３について、木炭を洗浄することで汚染物質除去能力を回復させることとしてもよい。
【００４１】
また、第一の実施形態に係る大気浄化装置１は、図３に示すように、第一浄化層８２が木炭が土壌に混合された構成としてもよい。この場合、例えば第一浄化層８２での木炭の土壌に対する比率は重量比にして１０％とし、第二浄化層８３での木炭の土壌に対する比率は重量比にして３％とするというように、送風手段５側の第一浄化層８２における木炭の土壌に対する比率を、緑化用の第二浄化層８３での木炭の土壌に対する比率よりも高くする。このことによっても、第一浄化層８２で効率良く窒素酸化物を除去して、第二浄化層８３によって大気浄化装置１の設置場所の緑化を行なうことができる。よって、効率よく汚染物質を除去でき、且つ設置場所を緑化できる大気浄化装置１を提供できる。
【００４２】
〔第二の実施形態〕
第二の実施形態に係る大気浄化装置１を図４を参照して説明する。
第二の実施形態に係る大気浄化装置１は、導管２、開口部３、集塵手段４、送風手段５、オゾン発生手段７、浄化手段９を備え、導管２、浄化手段９以外の構成要素は、第一の実施形態に係る大気浄化装置１と同様の構成を有する。
【００４３】
導管２の開口部３と反対側の端部には浄化手段９を着脱自在に取り付けるための取付部２１が設けられている。
【００４４】
浄化手段９は、浄化層９３を内蔵する浄化層ケース９１を接続してなる浄化ユニットとして構成される。
浄化層９３、９３は浄化層ケース９１の対向する１組の側面を架け渡す形態で設けられる。浄化層９３、９３により浄化層ケース９１内部は浄化層９３、９３で挟まれた第一空間９４と、浄化層９３、９３より外側の第二空間９５に区切られる。浄化層ケース９１の上記１組の側面のうち、一方は第一空間９４と外部を連通させる第一通気孔９６が設けられている。そして、他方には第二空間９５、９５と外部とを連通する第二通気孔９７、９７が設けられている。
【００４５】
図４における左側の浄化層ケース９１（以下、左側の浄化層ケース９１と略記）は、第一空間９４と導管２が連通するように、第一通気孔９６側で取付部２１と接続される。図４における中央の浄化層ケース９１（以下中央の浄化層ケース９１と略記）は、第二通気孔９７、９７側で左側の浄化層ケース９１と接続される。さらに図４における右側の浄化層ケース９１（以下右側の浄化層ケース９１と略記）は、中央の浄化層ケース９１と第一通気孔９６側で接続される。こうして浄化手段９が組み立てられる。この構成で、導管２から取り込まれた大気は後述するようにして流動するので、浄化層９３、９３、…は大気の流路に沿って配列されていることとなる。
【００４６】
次に、第二の実施形態に係る大気浄化装置１を用いる大気浄化方法について述べる。
第二の実施形態に係る大気浄化装置１では、開口部３で取り込んだ大気は、集塵手段４に導入される。集塵手段４では大気から粉塵やＳＰＭが除去される。さらに、粉塵やＳＰＭが除去された大気は、送風手段５でオゾンと接触する。こうして大気に含まれる汚染物質のうち、一酸化窒素が二酸化窒素に変換される。
【００４７】
オゾンと接触した大気は、取付部２１から左側の浄化層ケース９１に導入される。左側の浄化ユニットに導入された大気は矢印で示すように第一空間９４から浄化層９３を通る。ここで、大気中の二酸化窒素の一部が除去される。左側の浄化層９３を通った大気は第二空間９５に流動し、第二通気孔９７、９７を通って中央の浄化層ケース９１の第二空間９５、浄化層９３に導入される。ここで、左側の浄化層９３で除去されなかった二酸化窒素の一部が除去される。さらに、大気は矢印で示すように第一空間９４、第一通気孔９６、９６を通って右側の浄化層ケース９１の第一空間９４に導入され、浄化層９３を通る。大気は右側の浄化層９３で残りの二酸化窒素が略全部除去された後に、第二空間９５を経て第二通気孔９７から排出される。こうして大気は三つの浄化層９３、９３、…を通ることにより、二酸化窒素が木炭に吸着されて除去される。また、木炭に吸着された二酸化窒素は脱硝菌によって窒素ガスと酸素ガスに変換された後に大気とともに排出される。
【００４８】
浄化手段９の汚染物質除去能力が低下したときには、浄化層ケース９１、９１、…を取付部２１から取り外し、代わりに新しい浄化層ケース９１、９１、…を取り付けて浄化手段９を組み立てなおす。取り外された古い浄化層ケース９１、９１、…は洗浄により木炭に吸着している窒素酸化物を除去して再利用する。除去された窒素酸化物は最終的に硝酸塩に変換して処分する。
【００４９】
このように、本実施形態に係る大気浄化装置１は、浄化手段９を、浄化層９３を内蔵した浄化層ケース９１、９１、…を接続してなる浄化ユニットとすることで、浄化手段９の汚染物質除去能力が低下した時に、浄化層ケース９１、９１、…の交換によって容易に汚染物質除去能力を回復させることができる。よって、大気浄化装置１の維持管理を容易にすることができる。
また、浄化手段９の汚染物質除去能力は、接続される浄化層ケース９１、９１、…の数を変えることで容易に変えられる。よって、大気浄化装置１を設置場所の大気汚染状況に対応させることが容易となる。
【００５０】
なお、本実施形態に係る大気浄化装置１において、浄化手段９を形成する浄化層ケース９１、９１、…の数は、必要とされる汚染物質除去能力に応じて適宜設定される。
また、大気浄化装置１は、大気の流動する方向に対して並列に設けられた２組の浄化手段９、９を有する構成としてもよい。この場合、大気の流路を切り替えによって、１組の浄化手段９に大気を導入するようにすることで、一方の浄化手段９に大気の汚染物質除去能力が低下したら他方の浄化手段９に流路を切り換えて引き続き汚染物質の除去を行なうことができる。このことによっても、大気浄化装置１の維持管理を容易にすることができる。
【００５１】
なお、本発明に係る大気浄化装置１は上述の例に限らない。また、第一浄化層８２、第二浄化層８３の土壌や木炭に混入され、二酸化窒素を生化学的に変換する微生物は脱窒菌とは限らず、二酸化窒素を硝酸イオンに変換する硝化菌としてもよい。この場合、上述の例よりも効率良く二酸化窒素を硝酸イオンに変換して緑化植物１０に供給することができる。また、第一浄化層８２、第二浄化層８３の土壌や木炭には脱窒菌と硝化菌の両者を混入してもよい。
【００５２】
また、第一浄化層８２、第二浄化層８３、浄化層９３により除去される汚染物質は窒素酸化物や一酸化炭素とは限らず、ベンゼン等の有機化合物や硫黄酸化物（ＳＯＸ）を除去する構成としてもよい。
また、集塵手段４は、ＳＰＭフィルタ４２の代わりに電気集塵機でＳＰＭを除去する構成としてもよい。
【００５３】
【発明の効果】
請求項１に記載の発明によれば、浄化手段が、木炭を有する複数の浄化層を有することで、汚染物質のうち、窒素酸化物を効率的に除去することができる。
【００５４】
請求項２に記載の発明によれば、請求項１に記載の発明の効果に加えて、緑化植栽層に植栽された緑化植物によって窒素酸化物を除去できる。それに加えて、大気浄化装置の設置場所を緑化できる。
【００５５】
請求項３に記載の発明によれば、請求項２に記載の発明の効果に加えて、緑化植栽層よりも高い割合で木炭が土壌に混合されている浄化層を有することで、窒素酸化物除去能力が高く、かつ設置場所の緑化が可能な大気浄化装置を提供することができる。
【００５６】
請求項４に記載の発明によれば、請求項１〜請求項３に記載の発明の効果に加えて、浄化層に混入された微生物の作用で窒素酸化物を窒素ガス及び酸素ガスすることにより、より効率的に大気から窒素酸化物を除去できる。
【００５７】
請求項５に記載の発明によれば、請求項１〜請求項４に記載の発明の効果に加えて、浄化層に混入された微生物の作用で大気中の一酸化炭素を二酸化炭素に変換することにより、効率的に大気中から一酸化炭素を除去することができる。
【００５８】
請求項６に記載の発明によれば、請求項１〜請求項５のいずれか一項に記載の発明の効果に加えて、集塵手段を有することで、大気に含まれる粉塵やＳＰＭといった固形の汚染物質が、浄化層にたまることによる目詰まりを防止できる。
【００５９】
請求項７に記載の発明によれば、請求項１〜請求項６のいずれか一項に記載の発明の効果に加えて、浄化手段を浄化層が内蔵された浄化ユニットとすることで、大気浄化装置の窒素酸化物除去能力が低下したときには、浄化ユニットの交換により容易に窒素酸化物除去能力を回復させることができる。
【図面の簡単な説明】
【図１】本発明の第一の実施形態に係る大気浄化装置１の側断面図である。
【図２】第一の実施形態の別の実施例に係る大気浄化装置１の側断面図である。
【図３】第一の実施形態の別の実施例に係る大気浄化装置１の側断面図である。
【図４】本発明の第二の実施形態に係る大気浄化装置１の側断面図である。
【符号の説明】
１                    大気浄化装置
４                    集塵手段
５                    送風手段
７                    オゾン発生手段
８、９                        浄化手段
１０                緑化植物
５１                羽根車
７１                オゾン導管
８１                浄化手段ケース
８２                第一浄化層
８２Ａ                        浄化部
８３                第二浄化層
９１                浄化ユニット
９３                浄化層
【図１】
2004255262.tif 000003
【図２】
2004255262.tif 000004
【図３】
2004255262.tif 000005
【図４】
2004255262.tif 000006